(57)【要約】      （修正有）【課題】デザイン性向上がはかれてデザインの多様性の得られる彩色糸の提供。【解決手段】縫針３の往復動に対応して上掛かりの上ルーパー４と下掛かりの下ルーパー５を揺動して供給糸を掛合するようにしたロックミシン２において、縫針３、上掛かりの上ルーパー４、下掛かりの下ルーパー５にそれぞれ色の異なる糸を供給して、縫針３の縫糸６、上掛かりの上ルーパー糸７、下掛かりの下ルーパー糸８の巻き縫い糸を順次ループ状に巻き縫い掛合して形成した彩色糸。【選択図】図１
2019189971.tif 000002
【特許請求の範囲】
【請求項１】
縫針の往復動に対応して上掛かりの上ルーパーと下掛かりの下ルーパーを揺動して供給糸を掛合するようにしたロックミシンにおいて、
上記縫針、上掛かりの上ルーパー、下掛かりの下ルーパーに色の異なる糸を供給して、縫針の縫糸、上掛かりの上ルーパー糸、下掛かりの下ルーパー糸の巻き縫い糸を順次ループ状に巻き縫い掛合して一連の彩色糸を形成したことを特徴とする巻き縫い掛合による彩色糸。
【請求項２】
縫針、上掛かりの上ルーパー、下掛かりの下ルーパーの巻き縫い糸にそれぞれ色の異なる糸を供給して、縫針の縫糸に上掛かりの上ルーパー糸と下掛かりの下ルーパー糸を所定の巻き縫いピッチで巻き縫い掛合したことを特徴とする請求項１に記載の巻き縫い掛合による彩色糸。
【請求項３】
縫針、上掛かりの上ルーパー、下掛かりの下ルーパーの巻き縫い糸の張力を変化させて巻き縫い掛合したことを特徴とする請求項１または２に記載の巻き縫い掛合による彩色糸。
【請求項４】
ステンレス糸を含む金属糸の芯糸に縫針の縫糸、上掛かりの上ルーパー糸、下掛かりの下ルーパー糸の巻き縫い糸を巻き縫い掛合したことを特徴とする請求項１ないし３のいずれかに記載の巻き縫い掛合による彩色糸。
【発明の詳細な説明】
【技術分野】
【０００１】
本発明は、繊維分野における、特に織物、編物のデザインの多様性がはかれる巻き縫い掛合による彩色糸に関するものである。
【背景技術】
【０００２】
一般に色彩の豊かな生地や衣服等は、織物を染色したり、多様な糸を織成したり、編成したりして製造されている。
【０００３】
上記染色手段は大量生産に向いており、織成や編成は多種少量生産も可能で、多彩な生地や衣服等を生産することができる。
【０００４】
このような多彩な生地や衣服等を製造するには、多彩な糸が要求され、下記の特許文献には複合仮撚糸や多色ヤーン、多色縫いミシンでの多色糸が知られている。
【先行技術文献】
【特許文献】
【０００５】
【特許文献１】特開２０００−２３４２２６号公報
【特許文献２】特表平１１−５０１３７０号公報
【特許文献３】特開２００１−５５６５９号公報
【発明の開示】
【発明が解決しようとする課題】
【０００６】
しかし、これらの手段による多色糸は、それらの製造に複雑な構成を必要とするとともに、容易に多様な糸にできるものでなく、特に播州織業界の西脇ファッション都市構想での発信力、ブランド力向上のために織物のデザイン性向上が要望されており、容易に多様性の得られ、デザイン性向上がはかれる彩色糸を提供することが課題であった。
【課題を解決するための手段】
【０００７】
本発明は、上記のような点に鑑みたもので、上記の課題を解決するために、縫針の往復動に対応して上掛かりの上ルーパーと下掛かりの下ルーパーを揺動して供給糸を掛合するようにしたロックミシンにおいて、上記縫針、上掛かりの上ルーパー、下掛かりの下ルーパーに色の異なる糸を供給して、縫針の縫糸、上掛かりの上ルーパー糸、下掛かりの下ルーパー糸の巻き縫い糸を順次ループ状に巻き縫い掛合して一連の彩色糸を形成したことを特徴とする巻き縫い掛合による彩色糸を提供するにある。
【０００８】
また、縫針、上掛かりの上ルーパー、下掛かりの下ルーパーにそれぞれ色の異なる糸を供給して、縫針の縫糸に上掛かりの上ルーパー糸と下掛かりの下ルーパー糸を所定の巻き縫いピッチで巻き縫い掛合したことを特徴とする巻き縫い掛合による彩色糸を提供提供するにある。
【０００９】
さらに、縫針、上掛かりの上ルーパー、下掛かりの下ルーパーの巻き縫い糸の張力を変化させて巻き縫い掛合したことを特徴とする巻き縫い掛合による彩色糸を提供するにある。
【００１０】
さらにまた、ステンレス糸を含む金属糸の芯糸に縫針の縫糸、上掛かりの上ルーパー糸、下掛かりの下ルーパー糸の巻き縫い糸を巻き縫い掛合したことを特徴とする巻き縫い掛合による彩色糸を提供するにある。
【発明の効果】
【００１１】
本発明の巻き縫い掛合による彩色糸は、縫針の往復動に対応して上掛かりの上ルーパーと下掛かりの下ルーパーを揺動して供給糸を掛合するようにしたロックミシンにおいて、上記縫針、上掛かりの上ルーパー、下掛かりの下ルーパーに色の異なる糸を供給して、縫針の縫糸、上掛かりの上ルーパー糸、下掛かりの下ルーパー糸の巻き縫い糸を順次ループ状に巻き縫い掛合して一連の彩色糸を形成したことによって、ロックミシンに複数の色の巻き縫い糸を供給して順次巻き縫い掛合して多彩な一連の糸を製造することができ、織機や編機で多様な織物や編物を製造することができる。
特に、一連の糸が立体的幾何構造を有して、観察する方向により色彩が変化し、また糸が捩じれても彩色の多様性があり、ほつれたり、一本の糸が切断しても、彩色糸を維持できるものである。
【００１２】
また、縫針、上掛かりの上ルーパー、下掛かりの下ルーパーに色のそれぞれ異なる糸を供給して、縫針の縫糸に上掛かりの上ルーパー糸と下掛かりの下ルーパー糸を所定の巻き縫いピッチで巻き縫い掛合したことによって、上記したように異色の糸を巻き縫いピッチの異なる立体的幾何構造を有する多彩な一連の糸に形成できて、デザイン性向上に対応可能な多様な彩色糸にできる。
【００１３】
また、縫針、上掛かりの上ルーパー、下掛かりの下ルーパーの巻き縫い糸の張力を変化させて巻き縫い掛合したことによって、上記した巻き縫い掛合による彩色糸をさらにデザイン性向上に対応可能な多様な彩色糸にできる。
【００１４】
さらにまた、ステンレス糸を含む金属糸の芯糸に縫針の縫糸、上掛かりの上ルーパー糸、下掛かりの下ルーパー糸の巻き縫い糸を巻き縫い掛合したことによって、上記した巻き縫い掛合による彩色糸を帯電防止性および通電性を有するデザイン性向上に対応可能な糸にできる。
【図面の簡単な説明】
【００１５】
【図１】本発明の一実施例の彩色糸の形成説明用図、
【図２】同上の巻き縫い掛合の要部拡大説明図、
【図３】同上の巻き縫い掛合状態の要部拡大写真、
【図４】同上の彩色糸の拡大写真（ａ）、（ｂ）、
【図５】同上の他の彩色糸の拡大写真、
【図６】同上のさらに他の実施例の彩色糸の拡大写真（ａ）、（ｂ）、
【図７】同上のさらに他の実施例の拡大写真、
【図８】同上のさらに他の実施例の拡大写真（ａ）、（ｂ）、
【図９】同上の実施例による織成した織物の写真。
【発明を実施するための形態】
【００１６】
本発明の巻き縫い掛合による彩色糸は、縫針の往復動に対応して上掛かりの上ルーパーと下掛かりの下ルーパーを揺動して供給糸を掛合するようにしたロックミシンにおいて、上記縫針、上掛かりの上ルーパー、下掛かりの下ルーパーに色の異なる糸を供給して、縫針の縫糸、上掛かりの上ルーパー糸、下掛かりの下ルーパー糸の巻き縫い糸を順次ループ状に巻き縫い掛合して一連の彩色糸を形成したことを特徴としている。
【００１７】
巻き縫い掛合による彩色糸１は、図１、図２のようにロックミシン２を利用して、ロックミシン２の親針である縫針３、上掛かりの上ルーパー４、下掛かりの下ルーパー５に所要の色の異なる糸を糸道を介して供給して、ロックミシン２を作動して針棒に固定の縫針３の上下往復動に対応して４〜１０ｍｍ程の所要の巻き縫いピッチで上掛かりの上ルーパー４、下掛かりの下ルーパー５を所定どおりに揺動し、縫針３に挿通した縫糸６、上ルーパー４に挿通した上ルーパー糸７、下ルーパー５に挿通した下ルーパー糸８の巻き縫い糸が順次巻き縫い掛合して図３のように一連の彩色糸１を形成していくようにしている。
【００１８】
上記ロックミシン２としては、針棒に１本針や２本針を固着したオーバーロックやメローミシンを利用でき、目的に応じて薄物から厚物用の縫針３を使用でき、巻き縫いピッチは４〜１０ｍｍ位が彩色のバランスがよく、デザイン性向上がはかれる多様性の彩色糸にできて好ましい。
【００１９】
使用する巻き縫い糸の縫糸６、上ルーパー糸７、下ルーパー糸８としては、所要の色の木綿、麻、絹、毛等の天然繊維糸、ナイロン、レーヨン、ポリエステル、ウレタン、ポリウレタン、アクリル等の合成繊維糸等を使用でき、織物、編物に対応して数デニールの極細手のものから数百デニールの太手、単糸、双糸、マルチフィラメント等や、さらにスパンディックス糸、ストレッチ加工糸等の伸縮糸も適用可能である。
【００２０】
これらの縫糸６、上ルーパー糸７、下ルーパー糸８は、それぞれ異なる色のものを使用することでデザイン性向上がはかれる多様性の彩色糸１が得られ、これらの巻き縫い糸の張力を変化させて巻き縫い掛合して、上記した巻き縫い掛合による彩色糸をさらにデザイン性向上に対応可能な多様な彩色糸にでき、織物、編物の目的物に対応して市販品や特定品の所要のものに使用できる。
【００２１】
上記では、縫糸６、上ルーパー糸７、下ルーパー糸８を巻き縫い掛合して一連の彩色糸１を形成するようにしたが、所要の太さの天然繊維糸、合成繊維糸、紙糸や、銅糸、ステンレス糸等の金属糸の芯糸９を供給してこの芯糸９に縫糸６、上ルーパー糸７、下ルーパー糸８の巻き縫い糸を巻き縫い掛合して一連の彩色糸１を形成することもできる。銅糸、ステンレス糸等の金属糸を使用すると、上記した巻き縫い掛合による彩色糸１に帯電防止性および通電性を付与した彩色糸にすることができる。
【００２２】
上記巻き縫い掛合した一連の彩色糸１は、シャツ、ポロシャツ、靴下、手袋、マフラー、セーター、スカーフ、バッグ、ネクタイ、着物、帯、ベルト、タオル、マット、カーテン、レース、ストラップなど衣服品、日用品、自動車、バス、電車、航空機、船舶等のシート、建築物の壁面、天井面等の工業品、その他に利用して、播州織業界の西脇ファッションの発信力、ブランド力向上をはかれるようにできる。
【実施例】
【００２３】
図１以下は、本発明の実施例を示すものである。図１〜図３のようにロックミシン２の針棒に固着された縫針３に所要色の縫糸６、上ルーパー４に所要色の上ルーパー糸７、下ルーパー５に所要色の下ルーパー糸８の巻き縫い糸をそれぞれ糸道を介して挿通し、所要の色彩の巻き縫いピッチに設定する。
【００２４】
そして、ロックミシン２が作動して、縫針３が降下するときに上ルーパー４が揺動して上ルーパー４に挿通した上ルーパー糸７が縫針３の縫糸７に巻き縫い掛合し、縫針３が降下したときに下ルーパー５が揺動して下ルーパー５に挿通した下ルーパー糸８に縫針３の縫糸６が巻き縫い掛合し、縫針３を上昇して縫針３の縫糸７、上ルーパー４の上ルーパー糸８、下ルーパー５の下ルーパー糸９が順次所要の掛合ピッチでループ状に巻き縫い掛合していって、図４（ａ）、（ｂ）のようにそれぞれ異なる色の３色の一連の彩色糸１を形成していく。
【００２５】
たとえば、表１に示すように縫糸６、上ルーパー糸７、下ルーパー糸８の巻き縫い糸を綿糸の６０／２s の同じ太さの赤色、水色、黄緑色のそれぞれ異なる色糸として巻き縫いピッチ８ｍｍで巻き縫い掛合した。その一連の色彩糸１を図５に示す。形成した一連の糸は、立体的幾何構造を有して、観察する方向により色彩が変化し、デザイン性向上がはかれる多様な彩色糸１にできた。
【００２６】
表１  巻き縫い掛合に使用の彩色用糸
【表１】
2019189971.tif 000003
【００２７】
また、表２に示すように縫糸６、上ルーパー糸７、下ルーパー糸８の巻き縫い糸を綿糸の６０／２s の同じ太さの青色、橙色、紫色のそれぞれ異なる色糸とし、巻き縫いピッチ４ｍｍで、巻き縫い糸の張力を変化させて巻き縫い掛合した。その一連の色彩糸１を図６（ａ）、（ｂ）に示す。形成した一連の糸は、立体的幾何構造を有して、これらの形態は変化してデザイン性の多様な彩色糸にできた。
【００２８】
表２  巻き縫い掛合に使用の彩色用糸
【表２】
2019189971.tif 000004
【００２９】
また、表３に示すように中央に０．１２ｍｍ径のステンレス糸の金属糸の芯糸９を供給し、縫糸６、上ルーパー糸７、下ルーパー糸８の巻き縫い糸をレーヨン糸の１２０Ｄ／２s の同じ太さの赤色、水色、黄緑色のそれぞれ異なる色として巻き縫いピッチ４ｍｍで巻き縫い掛合した。その一連の色彩糸１を図７に示す。形成した一連の糸は、立体的幾何構造を有して、帯電防止性および通電性を有する彩色糸１にできた。
【００３０】
表３  巻き縫い掛合に使用の彩色用糸
【表３】
2019189971.tif 000005
【００３１】
さらに、表４に示すように中央に２．５s のピンクの紙糸の芯糸９を供給し、縫糸６、上ルーパー糸７、下ルーパー糸８の巻き縫い糸を綿糸の６０／２s の１２０Ｄ／２s の同じ太さの赤色、水色、黄緑色のそれぞれ異なる色として巻き縫いピッチ４ｍｍで巻き縫い掛合した。その一連の色彩糸を図８（ａ）、（ｂ）に示す。一連の糸は、立体的幾何構造を有して、観察する方向により色彩が変化し、デザイン性向上がはかれる多様な彩色糸１にできた。
【００３２】
表４  巻き縫い掛合に使用の彩色用糸
【表４】
2019189971.tif 000006
【００３３】
図９は、本発明の上記のような３色糸の巻き縫い糸の一連の彩色糸１を織機に供給し、織物１０を編成したものである。このように一連の彩色糸１を織機や編機に供給して、多彩なデザインの織物や編物を製造することができる。
【００３４】
以上のように本発明の一連の彩色糸１は、容易に多様性の彩色の糸を得ることができて、従来では作成できなかった多彩なデザインの織物や編物を製造でき、播州織業界の西脇ファッションの発信力、ブランド力向上をはかれるようにできる。
【産業上の利用可能性】
【００３５】
本発明は、シャツ、ポロシャツ、靴下、手袋、マフラー、セーター、タオル、マット、カーテン等の衣服品や日用品、自動車、バス、電車等やのシート、建築物の壁面、天井面等の工業品、その他に広く利用することができる。
【符号の説明】
【００３６】
１…彩色糸        ２…ロックミシン      ３…縫針          ４…上ルーパー
５…下ルーパー    ７…縫糸            ８…上ルーパー糸    ５…下ルーパー糸
９…芯糸        １０…織物
【図１】
2019189971.tif 000007
【図２】
2019189971.tif 000008
【図３】
2019189971.tif 000009
【図４】
2019189971.tif 000010
【図５】
2019189971.tif 000011
【図６】
2019189971.tif 000012
【図７】
2019189971.tif 000013
【図８】
2019189971.tif 000014
【図９】
2019189971.tif 000015